(57)【要約】【課題】少量の処理薬液で、複数のスライドガラスを均一に処理することができるスライドガラス保持器具を提供する。【解決手段】  スライドガラス保持器具は、内周面にスライドガラスを保持するための係合部を有する上側の外周リングと、外周面にスライドガラスを保持するための係合部を有する上側の内周リングと、内周面にスライドガラスを保持するための係合部を有する下側の外周リングと、外周面にスライドガラスを保持するための係合部を有する下側の内周リングと、上記下側の内周リングに設けられた棒磁石と、を有し、スライドガラスは羽根車の羽根状に配置される。【選択図】図１
2007061767.tif 000002
【特許請求の範囲】
【請求項１】
内周面にスライドガラスを保持するための係合部を有する上側の外周リングと、外周面にスライドガラスを保持するための係合部を有する上側の内周リングと、内周面にスライドガラスを保持するための係合部を有する下側の外周リングと、外周面にスライドガラスを保持するための係合部を有する下側の内周リングと、上記下側の内周リングに設けられた棒磁石と、を有し、スライドガラスの一端を上記外周リングと上記内周リングの係合部にそれぞれ係合させ、スライドガラスの他端を上記下側の外周リングと上記下側の内周リングの係合部にそれぞれ係合させることによって、スライドガラスが羽根車の羽根状に配置されるように構成されているスライドガラス保持器具。
【発明の詳細な説明】
【技術分野】
【０００１】
本発明は、複数のスライドガラスを保持するスライドガラス保持器具に関し、特に、複数のスライドガラスを表面処理するときに用いて好適なスライドガラス保持器具に関する。
【背景技術】
【０００２】
図４は、従来のスライドガラス保持器具の例を示す。このスライドガラス保持器具の底面と側面にはスライドガラスを保持するための溝４１、４２が形成されている。また、上端には取っ手４３が設けられている。スライドガラスの縁が溝に係合するようにスライドガラスを配置することにより、スライドガラスは互いに平行に且つ所定の間隔にて保持される。こうしてスライドガラスを保持した保持器具を、処理薬液中に浸漬させる。
【０００３】
【特許文献１】特開２００３−２６４２２５
【発明の開示】
【発明が解決しようとする課題】
【０００４】
図４に示した従来のスライドガラス保持器具の場合、両端又はその近くに配置されたスライドガラスは処理薬液によって良好に処理されるが、中央に配置されたスライドガラスは処理薬液によっては充分処理されない場合がある。即ち、スライドガラスの配置位置によって処理状態に差が生じることがある。
【０００５】
そこで、全てのスライドガラスの処理状態を均一化するために、保持器具を周期的に上下に運動させる例が知られている。しかしながら、保持器具を上下に移動させると、スライドガラスの上部が処理薬液から露出することとなり、処理むらが生ずる。更に、処理薬液槽に攪拌機を設ける例がある。攪拌機を設ける場合、攪拌機の設置位置に依存して、処理むらが生じる。更に、このような方法では、処理薬液の使用量が多くなり、装置が複雑化し且つ大型化する。
【０００６】
本発明の目的は、少量の処理薬液で、複数のスライドガラスを均一に処理することができるスライドガラス保持器具を提供することにある。
【課題を解決するための手段】
【０００７】
本発明によると、スライドガラス保持器具は、内周面にスライドガラスを保持するための係合部を有する上側の外周リングと、外周面にスライドガラスを保持するための係合部を有する上側の内周リングと、内周面にスライドガラスを保持するための係合部を有する下側の外周リングと、外周面にスライドガラスを保持するための係合部を有する下側の内周リングと、上記下側の内周リングに設けられた棒磁石と、を有し、スライドガラスの一端を上記外周リングと上記内周リングの係合部にそれぞれ係合させ、スライドガラスの他端を上記下側の外周リングと上記下側の内周リングの係合部にそれぞれ係合させることによって、スライドガラスが羽根車の羽根状に配置されるように構成されている。
【発明の効果】
【０００８】
本発明によると、少量の処理薬液で、複数のスライドガラスを均一に処理することができる。
【発明を実施するための最良の形態】
【０００９】
図１を参照して本発明のスライドガラス保持器具の例を説明する。本例のスライドガラス保持器具は、上側の外周リング１１、上側の内周リング１２、下側の外周リング２１、下側の内周リング２２、上側の外周リングと上側の内周リングを接続する上側半径部材１３、下側の外周リングと下側の内周リングを接続する下側半径部材２３、上側の外周リングと下側の外周リングを接続する外周柱状部材３１、上側の内周リングと下側の内周リングを接続する内周柱状部材３２、及び、上側の外周リングに取り付けられた取っ手１５、を有する。
【００１０】
上側の外周リング１１と下側の外周リング２１の内周面には、それぞれ、スライドガラスを保持するための係合部１１ａ、２１ａが設けられ、上側の内周リング１２と下側の内周リング２２の外周面には、それぞれ、スライドガラスを保持するための係合部１２ａ、２２ａが設けられている。これらの係合部１１ａ、２１ａ、１２ａ、２２ａは、スライドガラスの縁が係合する溝であってよく、又は、スライドガラスの縁を挟む２つの部材であってもよい。
【００１１】
下側の内周リング２２には、棒磁石２５が装着されている。棒磁石は、適当な方法によって、下側の内周リング２２に装着される。例えば、下側の内周リング２２に底面を設け、この底面に棒磁石２５を装着してよい。この棒磁石２５は、下側の内周リング２２の中心を通り直径方向に沿って対称的に配置されている。
【００１２】
図２は、スライドガラスを装着したスライドガラス保持器具１をビーカー２に挿入する状態を示す。スライドガラス保持器具１の外径は、ビーカー２の内径より僅かに小さい。スライドガラス保持器具には、実際には、スライドガラスが装着されているが、図２では、図示を省略している。ビーカー２には、処理薬液３が満たされている。また、ビーカー２の下には、スターラー４が配置されている。スターラー４は、モータによって回転する磁石を有する。スターラー４の構造は当業者に周知であり、ここでは詳細に説明しない。
【００１３】
スターラー４のスイッチをオンにすると、スターラーに内蔵された磁石が回転する。スターラーの磁石が回転すると、この磁石によって回転磁界が発生する。スライドガラス保持器具に設けられた棒磁石２５は、この回転磁界から回転力を付与される。棒磁石２５に作用する回転力によって、スライドガラスを装着したスライドガラス保持器具１の全体が回転する。
【００１４】
スライドガラスを装着したスライドガラス保持器具は、処理薬液中にあるから、その重量は浮力により小さくなる。従って、スライドガラス保持器具を簡単に回転させることができる。
【００１５】
図３は、スライドガラス６を装着したスライドガラス保持器具を底面から見た構成を示す。図示のように、スライドガラス６は羽根車の羽根状に配置されている。下側の内周リング２２には、棒磁石２５が装着されている。矢印はスライドガラス保持器具の回転方向を示す。スライドガラス保持器具が回転すると、処理薬液は、羽根車状に配置されたスライドガラスに沿って流動する。従って、本例では、全てのスライドガラスの両面全体が処理薬液に均等に接触する。そのため、スライドガラスの表面を均一に且つ確実に処理することができる。
【００１６】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００１７】
【図１】本発明のスライドガラス保持器具の構造を示す斜視図である。
【図２】本発明のスライドガラス保持器具にスライドガラスを装着して処理薬液に挿入する状態を示す図である。
【図３】本発明のスライドガラス保持器具にスライドガラスを装着した状態を示す図である。
【図４】従来のスライドガラス保持器具の例を示す斜視図である。
【符号の説明】
【００１８】
１…スライドガラス保持器具、２…ビーカー、３…処理薬液、４…スターラー、６…スライドガラス、１１…上側の外周リング、１１ａ…係合部、１２…上側の内周リング、１２ａ…係合部、１３…上側半径部材、１５…取っ手、２１…下側の外周リング、２１ａ…係合部、２２…下側の内周リング、２２ａ…係合部、２３…下側半径部材、２５…棒磁石、３１…外周柱状部材、３２…内周柱状部材
【図１】
2007061767.tif 000003
【図２】
2007061767.tif 000004
【図３】
2007061767.tif 000005
【図４】
2007061767.tif 000006